(57)【要約】【課題】サービス性能を低下させずに省電力を実現することができる。【解決手段】本実施形態に係るエレベータ制御装置は、ホール呼び取得部、割当部、荷重取得部、乗車荷重予測部および設定部を含む。ホール呼び取得部は、ホールからの呼び出しを示すホール呼びを取得する。割当部は、前記ホール呼びに対して、複数のエレベータかごの中から第１エレベータかごを割り当てる。荷重取得部は、前記第１エレベータかごに荷重される第１荷重値を取得する。乗車荷重予測部は、前記ホール呼びに基づいて、前記第１エレベータかごに荷重される可能性のある第２荷重値を予測する。設定部は、前記第１荷重値と前記第２荷重値との和である合計荷重値が閾値以下であれば、前記第１エレベータかごのホールでの停止時間を標準の停止時間よりも長く設定する。【選択図】図１
2014114129.tif 000002
【特許請求の範囲】
【請求項１】
ホールからの呼び出しを示すホール呼びを取得するホール呼び取得部と、
前記ホール呼びに対して、複数のエレベータかごの中から第１エレベータかごを割り当てる割当部と、
前記第１エレベータかごに荷重される第１荷重値を取得する荷重取得部と、
前記ホール呼びに基づいて、前記第１エレベータかごに荷重される可能性のある第２荷重値を予測する乗車荷重予測部と、
前記第１荷重値と前記第２荷重値との和である合計荷重値が閾値以下であれば、前記第１エレベータかごのホールでの停止時間を標準の停止時間よりも長く設定する設定部と、を具備することを特徴とするエレベータ制御装置。
【請求項２】
ホールからの呼び出しを示すホール呼びを取得するホール呼び取得部と、
前記ホール呼びに対して、複数のエレベータかごの中から第１エレベータかごを割り当てる割当部と、
前記第１エレベータかごに荷重される第１荷重値を取得する荷重取得部と、
前記ホール呼びに基づいて、前記第１エレベータかごに荷重される可能性のある第２荷重値を予測する乗車荷重予測部と、
降車するホールを指定する前記第１エレベータかごで発生する呼び出しを示す、少なくとも１つのかご呼びを取得するかご呼び取得部と、
前記かご呼びに基づいて、次に停止するホールで前記第１エレベータから降車する可能性のある第３荷重値を予測する降車荷重予測部と、
前記第１荷重値と前記第２荷重値との和から前記第３荷重値を減じた値である合計荷重値が閾値以下であれば、前記第１エレベータかごのホールでの停止時間を標準の停止時間よりも長く設定する設定部と、を具備することを特徴とするエレベータ制御装置。
【請求項３】
前記第１エレベータかごの進行方向を判定する判定部をさらに具備し、
前記設定部は、前記判定部により前記第１エレベータかごの進行方向が下り方向であると判定された場合、該第１エレベータかごに対して前記停止時間を設定することを特徴とする請求項１または請求項２に記載のエレベータ制御装置。
【請求項４】
前記設定部は、前記閾値以下である合計荷重値が小さいほど、前記停止時間を長く設定することを特徴とする請求項１から請求項３のいずれか１項に記載のエレベータ制御装置。
【請求項５】
ホールから前記第１エレベータかごに乗車した荷重のホールごとの履歴である乗車荷重履歴情報を取得する乗車履歴取得部をさらに具備し、
前記乗車荷重予測部は、前記乗車荷重履歴情報に基づいて第２荷重値を予測することを特徴とする請求項１から請求項４のいずれか１項に記載のエレベータ制御装置。
【請求項６】
ホールに前記第１エレベータから降車した荷重のホールごとの履歴である降車荷重履歴情報を取得する降車履歴取得部をさらに具備し、
前記降車荷重予測部は、前記降車荷重履歴情報に基づいて第３荷重値を予測することを特徴とする請求項２に記載のエレベータ制御装置。
【請求項７】
前記乗車荷重予測部は、前記乗車荷重履歴情報を参照して、前記第１エレベータかごに割り当てられていないホールからのホール呼びが発生する確率値を計算し、該確率値に基づいて第２荷重値を予測することを特徴とする請求項５に記載のエレベータ制御装置。
【請求項８】
前記設定部は、前記第１エレベータかごがホールに到着する前に該ホールにおける停止時間を設定し、該第１エレベータかごが該ホールに停止中に、該第１エレベータかごに新規のホール呼びが割り当てられた場合、停止時間を再設定することを特徴とする請求項１から請求項７のいずれか１項に記載のエレベータ制御装置。
【発明の詳細な説明】
【技術分野】
【０００１】
本発明の実施形態は、複数台のエレベータの運行を制御するエレベータ制御装置に関する。
【背景技術】
【０００２】
省電力を実現する技術として、エレベータにおいて電力が回生される状態になる乗車人数を計算して、実際の乗車人数と計算した乗車人数との差を表示することで利用者の協力を仰いで省電力を実現するものがある。
【０００３】
一方、エレベータの停止時間を制御する１つの技術として、ホール呼びの個数とかご呼び個数とをカウントし、カウント数が設定した閾値を超えたら停止時間を延長するものがある。また、別の技術として、停止ホールでの乗降人数と乗降時間とを予測して停止時間を調整する、あるいは、直近の混雑状況に応じて停止時間を調整するものがある。
【先行技術文献】
【特許文献】
【０００４】
【特許文献１】特開２００２−２９６６９号公報
【特許文献２】特開平８−１１９５６２号公報
【特許文献３】特許第４６０６４７５号公報
【発明の概要】
【発明が解決しようとする課題】
【０００５】
しかしながら、上述の技術は、待ち時間などのサービス性能と省電力とを両立させることを考慮していないため、省電力を優先すればサービス性能が低下し、反対に混雑状況に応じて停止時間を調整するなどによりサービス性能は考慮した場合は、省電力が考慮されず無駄な電力を消費する恐れがあるという問題がある。
【０００６】
本開示は、上述の課題を解決するためになされたものであり、サービス性能を低下させずに省電力を実現することができるエレベータ制御装置を提供することを目的とする。
【課題を解決するための手段】
【０００７】
本実施形態に係るエレベータ制御装置は、ホール呼び取得部、割当部、荷重取得部、乗車荷重予測部および設定部を含む。ホール呼び取得部は、ホールからの呼び出しを示すホール呼びを取得する。割当部は、前記ホール呼びに対して、複数のエレベータかごの中から第１エレベータかごを割り当てる。荷重取得部は、前記第１エレベータかごに荷重される第１荷重値を取得する。乗車荷重予測部は、前記ホール呼びに基づいて、前記第１エレベータかごに荷重される可能性のある第２荷重値を予測する。設定部は、前記第１荷重値と前記第２荷重値との和である合計荷重値が閾値以下であれば、前記第１エレベータかごのホールでの停止時間を標準の停止時間よりも長く設定する。
【図面の簡単な説明】
【０００８】
【図１】第１の実施形態に係るエレベータ群管理制御システムを示すブロック図。
【図２】第１の実施形態に係る扉制御部を示すブロック図。
【図３】第１の実施形態に係る扉制御部の動作を示すフローチャート。
【図４】停止時間算出部における停止時間の計算の一例を示す図。
【図５】エレベータの運行、ホール呼び、およびかご呼びに関する概念図。
【図６】具体的なエレベータの運行の一例を示す図。
【図７】具体的なエレベータの運行の別例を示す図。
【図８】第２の実施形態に係るエレベータ群管理制御システムを示すブロック図。
【図９】第２の実施形態に係る扉制御部を示すブロック図。
【図１０】第２の実施形態に係る扉制御部の動作を示すフローチャート。
【図１１】乗車荷重履歴情報の一例を示す図。
【図１２】降車荷重履歴情報の一例を示す図。
【図１３】第３の実施形態に係る扉制御部の動作を示すフローチャート。
【図１４】第３の実施形態に係る予測降車荷重の算出処理を示すフローチャート。
【発明を実施するための形態】
【０００９】
以下、図面を参照しながら本実施形態に係るエレベータ制御装置について詳細に説明する。なお、以下の実施形態では、同一の参照符号を付した部分は同様の動作をおこなうものとして、重複する説明を適宜省略する。  
（第１の実施形態）  
第１の実施形態に係るエレベータ制御装置を含むエレベータ群管理制御システムについて図１のブロック図を参照して説明する。  
第１の実施形態に係るエレベータ群管理制御システム１００は、エレベータ制御装置１０１、複数のホール１１０および複数のエレベータ１２０を含む。
【００１０】
ホール１１０は、利用者がエレベータに乗車またはエレベータから降車を行なう場所であり、ホール呼びボタンが備えられる。ホール呼びボタンが押下されることにより、ホールからの呼び出しを示し、ホール番号を含むホール呼びが生成される。
【００１１】
エレベータ１２０は、単体かご制御部１２１、乗車荷重管理部１２２およびエレベータかご１２３を含む。本実施形態では、エレベータかご１２３と単体かご制御部１２１と乗車荷重管理部１２２とを１組のエレベータとする。具体的には、図１に示すように、単体かご制御部１２１−１、乗車荷重管理部１２２−１およびかご１２３−１を１組のエレベータとして、このようなエレベータがｎ個（ｎは２以上の自然数）設けられる。  
単体かご制御部１２１は、エレベータ制御装置１０１から指示を受け取り、指示に応じて、エレベータかご１２３を制御する。具体的には、エレベータかご１２３の扉の開閉や、エレベータかご１２３の進行方向、行き先階（ホール）や速度などを制御する。  
乗車荷重管理部１２２は、エレベータかご１２３に荷重される乗車荷重（第１荷重値ともいう）を算出する。乗車荷重は、例えば、エレベータかご１２３に乗車している利用者およびエレベータかご１２３に積載される荷物などの荷重である。
【００１２】
エレベータ制御装置１０１は、ホール呼び管理部１０２、割当制御部１０３、かご呼び管理部１０４および扉制御部１０５を含む。
【００１３】
ホール呼び管理部１０２は、ホール１１０から新規のホール呼びを受信する。また、割当制御部１０３から、エレベータ１２０に割り当てられた、割り当て済みのホール呼び（以下、割当ホール呼びという）を受け取って管理する。
【００１４】
割当制御部１０３は、ホール呼び管理部１０２から新規のホール呼びを、単体かご制御部１２１から制御情報を、後述のかご呼び管理部１０４からかご呼びをそれぞれ受け取る。制御情報は、エレベータかご１２３の進行方向、行き先階、速度を含む情報である。かご呼びは、エレベータかご１２３内における利用者が降車するホールを指定する指示を示し、例えば利用者が所望の行き先階を示すボタンを押下することにより生成される。すなわち、かご呼びには、利用者が指定したホール番号が含まれる。割当制御部１０３は、新規のホール呼び、制御情報およびかご呼びを参照して、新規のホール呼びを最適なエレベータかご１２３を割り当てるように制御する。エレベータかご１２３の割り当て処理は、一般的な手法を用いればよいためここでの説明は省略する。  
かご呼び管理部１０４は、エレベータかご１２３からかご呼びを受け取って管理する。
【００１５】
扉制御部１０５は、ホール呼び管理部１０２から割当ホール呼びを、かご呼び管理部１０４からかご呼びを、単体かご制御部１２１から進行方向情報を、乗車荷重管理部１２２から乗車荷重をそれぞれ受け取る。進行方向情報は、制御情報に含まれるエレベータかご１２３の進行方向を示す情報である。扉制御部１０５は、進行方向情報が下向きを示す場合、ホール呼び、かご呼びおよび乗車荷重に基づいて停止時間を設定する。停止時間は、かご１２３がホールに到着した際に扉を開けておく時間を示す。
【００１６】
次に、扉制御部１０５の詳細について図２のブロック図を参照して説明する。  
扉制御部１０５は、進行方向取得部２０１、計算判定部２０２、割当ホール呼び取得部２０３、乗車荷重予測部２０４、乗車荷重取得部２０５、かご呼び取得部２０６、降車荷重予測部２０７、停止時間算出部２０８および停止時間通知部２０９を含む。
【００１７】
進行方向取得部２０１は、単体かご制御部１２１から進行方向情報を受け取る。  
計算判定部２０２は、進行方向取得部２０１から進行方向情報を受け取り、エレベータかご１２３の進行方向が下向きであるかどうかを判定する。  
割当ホール呼び取得部２０３は、計算判定部２０２から計算指示を受け取った場合、ホール呼び管理部１０２からエレベータかご１２３に割当ホール呼びを取得する。
【００１８】
乗車荷重予測部２０４は、割当ホール呼び取得部２０３から割当ホール呼びを受け取り、エレベータかご１２３に今後乗車すると予測される利用者や荷物といった、予測乗車荷重（第２荷重値ともいう）を算出する。  
乗車荷重取得部２０５は、乗車荷重管理部１２２から現在荷重である現乗車荷重を取得する。  
かご呼び取得部２０６は、かご呼び管理部１０４からかご呼びを取得する。
【００１９】
降車荷重予測部２０７は、かご呼び取得部２０６からかご呼びを受け取り、次に停止するホールで降車する利用者や荷物といった予測降車荷重（第３荷重値ともいう）を算出する。  
停止時間算出部２０８は、乗車荷重予測部２０４から予測乗車荷重を、乗車荷重取得部２０５から現乗車荷重を、降車荷重予測部２０７から予測降車荷重を、それぞれ受け取る。停止時間算出部２０８は、予測乗車荷重、現乗車荷重および予測降車荷重に基づいて合計荷重を算出し、合計荷重に応じて停止時間を設定する。  
停止時間通知部２０９は、停止時間算出部２０８から停止時間を受け取り、停止時間を単体かご制御部１２１に通知する。
【００２０】
次に、扉制御部１０５の動作について図３のフローチャートを参照して説明する。  
エレベータかご１２３が利用者の乗降のためにホールに到着する直前のタイミングで、処理が開始される。なお、以下では１つのエレベータについて説明するが、同時に複数のエレベータを同様の手法で制御してもよい。
【００２１】
ステップＳ３０１では、進行方向取得部２０１が、エレベータかご１２３の進行方向を取得する。  
ステップＳ３０２では、計算判定部２０２が、エレベータかご１２３の進行方向が下向きであるか上向きであるかを判定する。エレベータかご１２３の進行方向が下向きである場合はステップＳ３０４に進み、エレベータかご１２３の進行方向が上向きである場合はステップＳ３０３に進む。  
ステップＳ３０３では、計算判定部２０２が、標準の停止時間をかごの停止時間として設定し、停止時間通知部２０９が、標準停止時間を単体かご制御部１２１に通知して処理を終了する。
【００２２】
ステップＳ３０４では、割当ホール呼び取得部２０３が、割当ホール呼びを取得する。  
ステップＳ３０５では、乗車荷重予測部２０４が、割当ホール呼びから予測乗車荷重を算出する。例えば、１人あたりの体重を６５ｋｇと仮定し、６５ｋｇにホール呼びの個数を乗算した値を予測乗車荷重として算出する。  
ステップＳ３０６では、かご呼び取得部２０６が、かご呼びを取得する。
【００２３】
ステップＳ３０７では、かご呼び取得部２０６が、かご呼びに、これから停止するホール番号または停止中のホール番号に関する情報が含まれているかどうかを判定する。停止するホール番号または停止中のホール番号に関する情報が含まれている場合はステップＳ３０８に進み、含まれていない場合は、予測降車荷重を０ｋｇとしてステップＳ３０９に進む。  
ステップＳ３０８では、降車荷重予測部２０７が、予測降車荷重を算出する。例えば、６５ｋｇを予測降車荷重と設定すればよい。  
ステップＳ３０９では、乗車荷重取得部２０５が、現乗車荷重を取得する。
【００２４】
ステップＳ３１０では、停止時間算出部２０８が、予測乗車荷重と予測降車荷重と現乗車荷重とに基づいて、停止時間を算出する。具体的には、予測乗車荷重と現乗車荷重との和から予測降車荷重を減じた合計荷重が閾値よりも大きければ一定の停止時間に設定し、合計荷重が閾値以下であれば、一定の停止時間よりも長くなるように停止時間を設定すればよい。  
ステップＳ３１１では、停止時間通知部２０９が、単体かご制御部１２１に停止時間を通知することで、エレベータかご１２３の停止時間が設定される。扉制御部１０５は、停止時間が経過し、エレベータかご１２３の扉が閉まるまで待機する。この間に、ホール呼び管理部１０２が、処理を行っているエレベータかご１２３に新規のホール呼びが割り当てられたことを検出した場合は、ステップＳ３０４に戻り同様の処理を繰り返す。一方、新規のホール呼びが発生せず、かご１２３の扉が閉じられた場合は処理を終了する。  
次に、停止時間算出部２０８における停止時間の算出例について図４を参照して説明する。  
図４は、停止時間を求める関数の一例である。縦軸はかごの停止時間を示し、横軸は現乗車荷重と予測乗車荷重との和から予測降車荷重を減じた合計荷重の値を示す。
【００２５】
図４に示すように閾値４０１（図４中のα）が設定されており、合計荷重の値が閾値４０１より大きければ標準の停止時間として一定の時間、例えば標準の停止時間とする。一方、合計荷重の値が閾値４０１以下であれば、合計荷重が軽いほど、すなわち合計荷重の値が小さいほど、停止時間が長くなるように設定する。こうすることで、停止中のホールからの相乗り、または進行方向にあるホールからのホール呼びが発生する可能性が高まるので、乗車荷重を増やすことができ、消費電力を削減することができる。  
なお、閾値４０１は固定値でもよいし、扉の開閉制御の結果から得られる評価指標に基づいて学習した値を用いてもよい。  
また、図４に示す関数に限らず、停止時間は合計荷重が軽いほど停止時間が長くなるような関数であれば、どのような関数でもよい。
【００２６】
次に、本実施形態にかかるエレベータ群管理制御システムの動作の具体例について図５から図７を参照して説明する。  
図５は、エレベータの運行、ホール呼び、およびかご呼びについて説明する図である。
【００２７】
ここでは、Ｎ階（Ｎは３以上の自然数）建ての建物で運行しているエレベータを想定する。具体的には、１台のエレベータかご５０１が１名の利用者５０２を乗せて、Ｍ＋１（Ｍは２以上の自然数かつＮ＞Ｍ）階付近を下向きに進んでいる。
【００２８】
実際のエレベータは、昇降路の中を、最下階である１階と最上階であるＮ階とを上下に往復して運行する。図５では、説明の便宜上、一方通行で時計回りに運行すると仮定する。すなわち、右側の下向きの矢印は、エレベータかご５０１が下向きで運行する際のエレベータの状態や呼びに関する情報を表し、左側の上向きの矢印は、エレベータかご５０１が上向きで運行する際のエレベータの状態や呼びに関する情報を表す。  
１階の丸記号はかご呼び５０３を表し、エレベータかご５０１に乗車している利用者５０２が降りる階を表す。また、Ｍ階の右側および１階左側の三角記号は、エレベータかご５０１に割り当てられたホール呼び５０４を表す。下向きの三角記号の場合は下方向へのホール呼び５０４を表し、上向きの三角記号の場合は上方向へのホール呼び５０４を表す。また、
図５の例では、エレベータかご５０１はＭ＋１階付近から下へ運行しており、Ｍ階で下へホール呼び５０４が発生しているので、下に行きたい利用者のために停止し、利用者を乗せる。その後、１階で乗車中の利用者５０２を降ろし、１階から上へ行きたい利用者を乗せて、かごが上昇することが確定していると分かる。
【００２９】
なお、本実施形態では、図５に示すような上下ボタン式エレベータシステムを仮定する。従って、ホール呼びが下向きであるかまたは上向きであるか、ホール呼びがどの階で発生しているかについての情報が得られるが、何人の利用者が待っており、利用者がどの階へ行きたいかは分からない。同様に、利用者がエレベータかごに乗車すると、どの階までのかご呼びが発生しているかについての情報が得られるが、何人の利用者が降りるかは分からない。  
また、ホール呼びまたはかご呼びまたは両方の呼びのために、目的とするホールにエレベータかごが到着すると、登録されているホール呼びおよびかご呼びは不要となるので、システムの中から削除することが望ましい。
【００３０】
次に、図６を参照して合計荷重の具体的な算出方法の一例を説明する。  
図６では、エレベータかご６０１に１名の利用者６０２が乗車し、利用者はＭ−１階で降車しようとするため、Ｍ−１階のかご呼び６０３が発生する。またエレベータかご６０１には、Ｍ＋１階、Ｍ−１階、および３階のそれぞれのホールで下向きのホール呼び６０４が割り当てられており、エレベータかご６０１はちょうどＭ＋１階に停車しようとする場合を想定する。
【００３１】
進行方向取得部２０１は、エレベータかごの進行方向、ここでは下向きであることを示す情報を取得する。  
計算判定部２０２は、進行方向が下向きであると判定する。  
割当ホール呼び取得部２０３は、計算判定部２０２からの計算指示に応じて、上述した３つのホール呼び６０４（Ｍ＋１階、Ｍ−１階、３階）を取得する。乗車荷重予測部２０４が、６５ｋｇ×ホール呼びの個数、すなわち６５×３＝１９５（ｋｇ）を予測乗車荷重として得る。
【００３２】
続いて、かご呼び取得部２０６は、Ｍ−１階のかご呼び６０３を取得する。  
降車荷重予測部２０７は、これから停止しようとするホールＭ＋１階がかご呼び６０３に含まれていないので、予測降車荷重を０ｋｇとして設定する。  
乗車荷重取得部２０５は、現乗車荷重を取得し、ここでは６５ｋｇを取得したと仮定する。  
停止時間算出部２０８は、予測乗車荷重１９５ｋｇ、予測降車荷重０ｋｇ、および現乗車荷重６５ｋｇから合計荷重を算出する。すなわち、合計荷重として、１９５−０＋６５＝２６０（ｋｇ）を得る。ここで、図４に示す関数の閾値が３００ｋｇと仮定すると、合計荷重が閾値以下であるので、停止時間算出部２０８は、エレベータかごの停止時間を標準の停止時間よりも長く設定する。  
その後、停止時間算出部２０８で算出された停止時間を停止時間通知部２０９が単体かご制御部１２１に通知して、設定された停止時間、扉を開いたまま待機する。
【００３３】
同様に、図７を参照して合計荷重の具体的な算出方法の別例を説明する。  
図７では、エレベータかご７０１に２名の利用者７０２が乗車し、利用者７０２はＭ−１階および１階で降車しようとするため、Ｍ−１階と１階とにかご呼び７０３が発生する。またエレベータかご７０１には、Ｍ−１階、３階および２階のそれぞれのホールで下向きのホール呼び７０４、１階で上向きのホール呼び７０４が割り当てられる。また、エレベータかごがちょうどＭ−１階に停車しようとする場合を想定する。  
エレベータかごの進行方向は下向きなので、上述のように合計荷重が算出される。  
乗車荷重予測部２０４は、ホール呼び７０４が４件割り当てられているので、予測乗車荷重として６５×４＝２６０（ｋｇ）を得る。
【００３４】
降車荷重予測部２０７は、これから停止しようとするホールであるＭ−１階がかご呼び７０３に含まれているので、少なくとも１人は降車すると仮定し、予測降車荷重を６５ｋｇとして設定する。  
乗車荷重取得部２０５は、現乗車荷重として、２人分の利用者７０２の荷重である１３０ｋｇを取得したと仮定する。  
停止時間算出部２０８は、合計荷重として２６０−６５＋１３０＝３２５（ｋｇ）を得る。閾値が３００ｋｇとすると、合計荷重が閾値よりも大きいので、停止時間を標準の停止時間に設定すればよい。
【００３５】
以上に示した第１の実施形態によれば、エレベータかごに乗車している利用者数が少なく、かつ割り当てられたホール呼びも少ない場合に、ホールでの停止時間が延長されるので、ホールでの相乗りや、停止時間中に偶然発生したホール呼びが割り当てられる可能性が増加する。よって、エレベータかごへの相乗りが促進されるので、エレベータかごが乗車荷重が少ないまま運行することが少なくなり、消費電力を抑えた運行ができる。一方、現在の乗車利用者数が少ないが、割り当てられたホール呼び数が多い場合は、現在のエレベータかごの乗車荷重が、少なくとも近い将来には多くの利用者が乗車すると想定できるので、停止時間を標準時間と設定できる。その結果、若干消費電力が増加するものの、多くの利用者へのサービスを犠牲することが減少する。すなわち、乗車荷重を予測してエレベータかごの停止時間を設定することで、サービス性能の低下を抑制しつつ消費電力を低減することができる。
【００３６】
（第２の実施形態）  
第２の実施形態では、エレベータかごの乗車履歴および降車履歴を参照して停止時間を設定する点が第１の実施形態と異なる。乗車履歴および降車履歴を参照することで、サービス性能の低下をより抑えつつ、消費電力を低減したエレベータの運行を提供することができる。
【００３７】
第２の実施形態に係るエレベータ群管理制御システムについて図８を参照して説明する。  
第２の実施形態に係るエレベータ群管理制御システム８００は、第１の実施形態に係るエレベータ群管理制御システム１００とほぼ同様であるが、エレベータ制御装置８０１が異なる。  
エレベータ制御装置８０１は、ホール呼び管理部１０２、割当制御部１０３、かご呼び管理部１０４、扉制御部８０２、乗車荷重履歴格納部８０３および降車荷重履歴格納部８０４を含む。
【００３８】
ホール呼び管理部１０２、割当制御部１０３およびかご呼び管理部１０４は、第１の実施形態と同様の動作を行なうためここでの説明は省略する。  
乗車荷重履歴格納部８０３は、乗車荷重管理部１２２から、現乗車荷重と、過去の割当ホール呼び発生時刻と、ホールへのエレベータかご到着時刻とを受け取り、乗車荷重履歴情報として格納する。  
降車荷重履歴格納部８０４は、エレベータかごから利用者が降車した時刻と、その際の降車荷重とを含む降車荷重履歴情報を格納する。
【００３９】
扉制御部８０２は、ホール呼び管理部１０２からホール呼びを、かご呼び管理部１０４からかご呼びを、単体かご制御部１２１から進行方向情報を、乗車荷重管理部１２２から現乗車荷重を、乗車荷重履歴格納部８０３から乗車荷重履歴情報を、降車荷重履歴格納部８０４から降車荷重履歴情報をそれぞれ受け取る。扉制御部８０２は、乗車荷重履歴情報と降車荷重履歴情報とに基づいて、合計荷重を算出して停止時間を設定する。
【００４０】
次に、第２の実施形態に係る扉制御部８０２の詳細について図９を参照して説明する。  
扉制御部８０２は、進行方向取得部２０１、計算判定部２０２、割当ホール呼び取得部２０３、乗車荷重取得部２０５、かご呼び取得部２０６、停止時間算出部２０８、停止時間通知部２０９、乗車荷重履歴取得部９０１、降車荷重履歴取得部９０２、乗車荷重予測部９０３および降車荷重予測部９０４を含む。  
進行方向取得部２０１、計算判定部２０２、割当ホール呼び取得部２０３、乗車荷重取得部２０５、かご呼び取得部２０６、停止時間算出部２０８、および停止時間通知部２０９については第１の実施形態における動作と同様であるので、ここでの説明は省略する。
【００４１】
乗車荷重履歴取得部９０１は、割当ホール呼び取得部２０３からホール呼びを受け取り、ホール呼びに含まれるホール番号を参照して、乗車荷重履歴格納部８０３から該当する乗車荷重履歴情報を取得する。  
降車荷重履歴取得部９０２は、かご呼び取得部２０６からかご呼びを受け取り、かご呼びに含まれるホール番号を参照して、降車荷重履歴格納部８０４から該当する降車荷重履歴情報を取得する。  
乗車荷重予測部９０３は、乗車荷重履歴取得部９０１から乗車荷重履歴情報を受け取り、予測乗車荷重を算出する。  
降車荷重予測部９０４は、降車荷重履歴取得部９０２から降車荷重履歴情報を受け取り、予測降車荷重を算出する。
【００４２】
次に、第２の実施形態に係る扉制御部８０２の動作について図１０のフローチャートを参照して説明する。  
ステップＳ１００１では、進行方向取得部２０１が、エレベータかご１２３の進行方向情報を取得する。  
ステップＳ１００２では、計算判定部２０２が、エレベータかご１２３の進行方向が下向きであるか上向きであるかを判定する。かごの進行方向が下向きである場合はステップＳ１００４に進み、かごの進行方向が上向きである場合はステップＳ１００３に進む。  
ステップＳ１００３では、計算判定部２０２が、標準の停止時間をかごの停止時間として設定し、停止時間通知部２０９が、標準停止時間を単体かご制御部１２１に通知して処理を終了する。
【００４３】
ステップＳ１００４では、割当ホール呼び取得部２０３が、割当ホール呼びを取得する。  
ステップＳ１００５では、乗車荷重履歴取得部９０１が、割当ホール呼びに含まれるホール番号を参照して、ホール番号に対応する乗車荷重履歴情報を取得する。  
ステップＳ１００６では、乗車荷重予測部９０３が、乗車荷重履歴情報に基づいて予測乗車荷重を算出する。例えば、取得した乗車荷重履歴情報は、割当ホール呼びの個数分あるので、それぞれの乗車荷重履歴情報に含まれる平均乗車荷重を算出し、その合計値を予測乗車荷重とすればよい。なお、平均値ではなく、直近で発生したホール呼び情報に含まれる乗車荷重の合計を予測乗車荷重としてもよいし、他の算出方法を用いて予測乗車荷重を算出してもよい。
【００４４】
ステップＳ１００７では、かご呼び取得部２０６が、かご呼びを取得する。  
ステップＳ１００８では、かご呼び取得部２０６が、かご呼びに、これから停止するホール番号または停止中のホール番号に関する情報が含まれているかどうかを判定する。停止するホール番号または停止中のホール番号に関する情報が含まれている場合はステップＳ１００９に進み、含まれていない場合は、予測降車荷重を０ｋｇとしてステップＳ１０１１に進む。  
ステップＳ１００９では、降車荷重履歴取得部９０２が、これから停止するまたは停止中のホール番号に該当する降車荷重履歴情報を降車荷重履歴格納部８０４から取得する。
【００４５】
ステップＳ１０１０では、降車荷重予測部９０４が、降車荷重履歴情報に基づいて予測降車荷重を算出する。予測降車荷重の算出方法は、予測乗車荷重と同様に、平均降車荷重を予測降車荷重としてもよいし、直近で発生したホール呼びに含まれる降車荷重の合計を予測降車荷重としてもよいし、他の算出方法でもよい。  
ステップＳ１０１１では、乗車荷重取得部２０５が、現乗車荷重を取得する。  
ステップＳ１０１２では、停止時間算出部２０８が、予測乗車荷重と予測降車荷重と乗車荷重とから停止時間を算出する。停止時間の算出方法は、図３に示すステップＳ３１０と同様の方法で行えばよい。  
ステップＳ１０１３では、停止時間通知部２０９が、単体かご制御部１２１に停止時間を通知し、エレベータかご１２３の扉が閉まるまで待機する。この間に、ホール呼び管理部１０２が、処理を行っているかご１２３に新規のホール呼びが割り当てられたことを検出した場合は、ステップＳ３０４に戻り、同様の処理を繰り返す。新規のホール呼びが発生せず、かご１２３の扉が閉じられた場合は処理を終了する。
【００４６】
次に、乗車荷重履歴格納部８０３に格納される乗車荷重履歴情報の一例について図１１を参照して説明する。  
乗車荷重履歴情報は、ホール番号１１０１、向き１１０２、発生時刻１１０３、到着時刻１１０４、および乗車荷重１１０５がそれぞれ対応づけられる。向き１１０２は、ホール呼びの進行方向を示す。発生時刻１１０３は、ホール呼びが発生した時刻を示す。到着時刻１１０４は、エレベータかごがホールに到着した時刻を示す。乗車荷重１１０５は、到着したホールからエレベータかごに乗車した荷重を示す。  
ホール番号１１０１、向き１１０２および発生時刻１１０３は、ホール呼び管理部１０２から取得すればよく、到着時刻１１０４は、単体かご制御部１２１から取得すればよく、乗車荷重１１０５は、乗車荷重管理部１２２から取得すればよい。
【００４７】
また、乗車荷重履歴格納部８０３は、発生時刻１１０３、到着時刻１１０４および乗車荷重１１０５を１組として１回分のホール呼び情報として格納し、過去Ｌ回分（Ｌは自然数）のホール呼び情報を格納する。  
なお、乗車荷重履歴情報として、乗車荷重１１０５の平均である平均乗車荷重１１０６、および、ホール呼びが発生する間隔である平均発生間隔１１０７のような統計情報をホール呼びが格納されるごとに算出して格納してもよい。  
具体的には、例えば、ホール番号１１０１「１」、向き１１０２「上」、発生時刻１１０３「１０：３０：００．１００」、到着時刻１１０４「１０：３１：１２．０００」、および乗車荷重１１０５「６５０」がそれぞれ対応づけられて格納される。
【００４８】
次に、降車荷重履歴格納部８０４に格納される降車荷重履歴情報の一例について図１２を参照して説明する。  
降車荷重履歴情報は、ホール番号１１０１、向き１１０２、降車時刻１２０１、および降車荷重１２０２がそれぞれ対応づけられる。ホール番号１１０１および向き１１０２は、乗車荷重履歴情報と同一であり、ホール呼び管理部１０２から取得される。降車時刻１２０１は、利用者がエレベータかごから降車し終えて、扉が閉じた時刻を示し、エレベータかご１２３が到着し、扉が閉じた時刻を単体かご制御部１２１から取得すればよい。降車荷重１２０２は、エレベータかごからホールに降車した荷重を示し、乗車荷重管理部１２２から取得すればよい。
【００４９】
乗車荷重履歴情報と同様に、降車時刻１２０１と降車荷重１２０２とを１組として、過去Ｌ回分の履歴を格納する。  
なお、降車荷重履歴情報として、過去Ｌ回分の降車荷重１２０２の平均である平均降車荷重１２０３のような統計情報を算出してさらに格納してもよい。
【００５０】
次に、図６、図７、図１１および図１２を参照して、第２の実施形態に係る扉制御部での、合計荷重および停止時間の算出方法の具体例について説明する。  
第１の具体例として、図６に示すエレベータの運行が行われたと想定する。  
乗車荷重履歴取得部９０１は、割当ホール呼びとして、Ｍ＋１階（下向き）、Ｍ−１階（下向き）および３階（下向き）を得て、該当するホール名および向きから乗車荷重履歴情報のうちの平均乗車荷重を取得する。すなわち、Ｍ＋１階では平均乗車荷重が８７．１ｋｇ、Ｍ−１階では平均乗車荷重が９０．２ｋｇ、３階では平均乗車荷重が７１．１ｋｇである。よって、予測乗車荷重として、８７．１＋９０．２＋７１．１＝２４８．４（ｋｇ）が得られる。
【００５１】
降車荷重履歴取得部９０２は、これから停止するＭ＋１階のホールがかご呼び情報に含まれていないので、予測降車荷重は０ｋｇとなる。  
乗車荷重取得部２０５が、現在の乗車荷重６５ｋｇを取得する。  
よって、停止時間算出部２０８において、合計荷重として２４８．４−０＋６５＝３１３．４（ｋｇ）を得ることができる。閾値が４００ｋｇであれば、合計荷重が閾値以下であるので標準の停止時間よりも停止時間が長くなるように設定する。その後、停止時間通知部２０９が、停止時間を単体かご制御部１２１に通知する。
【００５２】
第２の具体例として、図７に示すエレベータの運行が行われた場合の合計荷重および停止時間の算出方法を説明する。  
乗車荷重履歴取得部９０１は、割当ホール呼びを参照して、対応するホールの平均乗車荷重を取得する。具体的に図１１を参照すると、Ｍ−１階で下向きは平均乗車荷重が９０．２ｋｇ、３階で下向きは平均乗車荷重が７１．１ｋｇ、２階で下向きは平均乗車荷重が７０．１ｋｇ、１階で上向きは平均乗車荷重が３２０．０ｋｇである。よって、予測乗車荷重として、９０．２＋７１．１＋７０．１＋３２０．０＝５５１．４（ｋｇ）が得られる。  
降車荷重履歴取得部９０２は、これから停止するＭ−１階がかご呼び情報のホール番号に含まれるので、Ｍ−１階の下向きの平均降車荷重７５．５ｋｇを予測降車荷重として得る。  
また、図７の現在の乗車荷重は１３０ｋｇであるから、停止時間算出部２０８は、合計荷重として、５５１．４−７５．５＋１３０＝６０５．９（ｋｇ）を得ることができる。停止時間算出部２０８は、閾値が４００ｋｇであれば、合計荷重が閾値よりも大きいので停止時間を標準の停止時間に設定する。
【００５３】
以上に示した第２の実施形態によれば、予測乗車荷重は乗車荷重履歴情報を用いて、予測降車荷重は降車荷重履歴情報を用いてそれぞれ求めるので、より正確な予測を含めた合計荷重を算出できる。したがって、現在の乗車荷重が少ない場合でも、その後に多くの利用者の乗車が予想できる場合には、停止時間を標準の停止時間に設定することができるので、無駄な停止時間を削減することができる。よって、待ち時間等のサービス性能を必要以上に低下させずに、消費電力を低減したエレベータの運行ができる。
【００５４】
（第３の実施形態）  
第３の実施形態では、ホール呼びが発生する確率も含めて停止時間を決定する点が上述の実施形態と異なる。このようにすることで、将来の利用者の乗車荷重を予測する精度が向上し、無駄な停止時間を削減することができる。よって、サービス性能を必要以上に低下させずに消費電力を低減したエレベータの運行ができる。  
第３の実施形態に係るエレベータ群管理制御システムおよび扉制御部については、図８および図９に示す第２の実施形態と同様であるので説明を省略する。
【００５５】
次に、第３の実施形態に係る扉制御部の動作について図１３のフローチャートを参照して説明する。  
ステップＳ１３０１以外は、図１０に示すステップＳ１００１からステップＳ１００４まで、ステップＳ１００８からステップＳ１０１３までと同様の処理を行なうので、ここでの説明は省略する。  
ステップＳ１３０１では、予測乗車荷重の算出処理を行なう。
【００５６】
次に、ステップＳ１３０１における予測乗車荷重の算出処理について図１４のフローチャートを参照して説明する。  
ステップＳ１４０１では、かご呼び取得部２０６が、かご呼びを取得する。  
ステップＳ１４０２では、割当ホール呼び取得部２０３が、ホール呼びとかご呼びとに含まれるホール番号の中で、エレベータかごが停止中または停止しようとしているホールから、進行方向の先にあるホールのうちの一番近いホール（以下、Ｈｓｔａｒｔという）と、一番遠いホール（以下、Ｈｅｎｄ）とを取得する。  
ステップＳ１４０３では、ｈの初期値として、ｈ＝Ｈｓｔａｒｔに設定される。ここで、ｈは現在のホールを示す。
【００５７】
ステップＳ１４０４では、予測乗車荷重の初期値が０ｋｇに設定される。  
ステップＳ１４０５では、乗車荷重履歴取得部９０１が、現在のホールｈがホール呼びに含まれるかどうかを判定する。現在のホールｈがホール呼びに含まれる場合はステップＳ１４０６に進み、現在のホールｈがホール呼びに含まれない場合はステップＳ１４０８に進む。  
ステップＳ１４０６では、乗車荷重履歴取得部９０１が、乗車荷重履歴情報を参照して、現在のホールｈに対応する乗車荷重を取得する。
【００５８】
ステップＳ１４０７では、乗車荷重予測部９０３が、乗車荷重履歴情報に基づいて、現在のホールｈにから将来乗車する荷重を予測する。例えば、乗車荷重履歴情報に含まれる平均乗車荷重を、予測乗車荷重の値に加算すればよい。また、平均値でなく、直近に発生したホール呼び情報に含まれる乗車荷重を加算してもよいし、他の計算方法で予測した値でもよい。  
ステップＳ１４０８では、乗車荷重履歴取得部９０１が、現在のホールｈに対応する平均乗車荷重を取得する。  
ステップＳ１４０９では、乗車荷重履歴取得部９０１が、乗車荷重履歴情報から平均呼び発生間隔（以下、Ｔと呼ぶ）を取得する。予め算出された平均呼び発生間隔Ｔが格納されていれば、この値を取得すればよい。なお、Ｌ個のホール呼びの発生時刻の間の間隔を求め、平均呼び発生間隔Ｔとしてもよい。  
ステップＳ１４１０では、乗車荷重予測部９０３が、平均呼び発生間隔Ｔを用いて、現在のホールｈでホール呼びが発生する確率を計算する。例えば、ホール呼びの発生がポアソン分布に従うと仮定すれば、停止中のホールから現在のホールまでのエレベータかごの移動時間をｘ秒とすると、ホール呼び発生確率は、式（１）で表せる。
【数１】
2014114129.tif 000003
【００５９】
ステップＳ１４１１では、ホール呼び発生確率と乗車荷重履歴情報とを用いて、現在のホールｈから将来乗車すると予測される荷重を算出する。例えば、取得した平均乗車荷重に対してホール呼び発生確率を乗算した乗車荷重の期待値を、計算中の予測乗車荷重の値に加算すればよい。また、平均乗車荷重ではなく、直近のホール呼びに含まれる乗車荷重に対してホール呼び発生確率を乗算した乗車荷重の期待値を加算してもよい。  
ステップＳ１４１２では、現在のホールｈを、エレベータかごが次に停止する可能性のあるホールに変更する。  
ステップＳ１４１３では、変更された現在のホールｈがＨｅｎｄと一致するかどうかを判定する。変更されたｈがＨｅｎｄと一致する場合はステップＳ１３０６に進み、変更されたｈがＨｅｎｄと一致しない場合はステップＳ１４０５に戻り、同様の処理を繰り返す。
【００６０】
次に、図６、図７、図１１および図１２を参照して、第３の実施形態に係る扉制御部での、合計荷重および停止時間の算出方法の具体例について説明する。  
第１の具体例として、図６を参照して説明する。  
乗車荷重履歴取得部９０１は、割当ホール呼びとして、Ｍ＋１階（下向き）、Ｍ−１階（下向き）および３階（下向き）を得る。  
かご呼び取得部２０６が、Ｍ−１階を示すかご呼びを取得する。  
割当ホール呼び取得部２０３が、割当ホール呼びとかご呼びとの中で、現在のかごの位置に最も近いホールとしてＭ＋１階（Ｈｓｔａｒｔ＝Ｍ＋１）、最も遠いホールとして３階（Ｈｅｎｄ＝３）をそれぞれ決定する。  
初期値として現在のホールｈ＝Ｈｓｔａｒｔ＝Ｍ＋１、予測乗車荷重＝０と設定される。
【００６１】
ｈ＝Ｍ＋１が割当ホール呼びに含まれるので、乗車荷重履歴取得部９０１が、Ｍ＋１階のホールに関する乗車荷重履歴情報から下向きの平均乗車荷重８７．１ｋｇを得る。よって、予測乗車荷重は０＋８７．１＝８７．１（ｋｇ）となる。続いて、現在のホールｈが、次に停止可能なホールであるＭ階に変更される。Ｍ階は、現在のホールからＨｅｎｄ＝３よりも遠くはなく、割当ホール呼びに含まれない。よって、乗車荷重履歴取得部９０１が、Ｍ階のホールに関する乗車荷重履歴情報から下向きの平均乗車荷重として８４．３ｋｇ、ホール呼び平均発生間隔として７４．９秒をそれぞれ取得する。
【００６２】
さらに、乗車荷重予測部９０３が、ホール呼び発生確率を算出する。停止中のホールであるＭ＋１階からＭ階までの移動時間を１５秒と仮定すると、式（２）により求めることができる。
【数２】
2014114129.tif 000004
【００６３】
よって、予測乗車荷重＝８７．１＋８４．３×０．１８１≒１０２．４を得ることができる。
【００６４】
続いて、現在のホールｈが次に停止可能なホールであるＭ−１階に変更される。Ｍ−１階は、現在のホールからＨｅｎｄ＝３よりも遠くはなく、割当ホール呼びに含まれる。よって、乗車荷重履歴取得部９０１が、Ｍ−１階のホールに関する乗車荷重履歴情報から下向きの平均乗車荷重として９０．２ｋｇを得る。予測乗車荷重は、１０２．４＋９０．２＝１９２．６（ｋｇ）となる。  
続いて、現在のホールｈを次に停止可能なホールである３階に変更する。３階は、現在のホールｈからＨｅｎｄ＝３よりも遠くはなく、割当ホール呼びに含まれる。よって、３階のホールに関する乗車荷重履歴情報から下向きの平均乗車荷重として７１．１ｋｇを得る。予測乗車荷重は、１９２．６＋７１．１＝２６３．７（ｋｇ）となる。
【００６５】
続いて、現在のホールｈを次に停止可能なホールである２階に変更するが、現在のホールｈからＨｅｎｄ＝３よりも遠いので、処理を終了し、予測乗車荷重として２６３．７（ｋｇ）が得られる。  
また、停止するホールＭ＋１はかご呼びに含まれていないので予測降車荷重０ｋｇとなる。現在の荷重情報は、６５ｋｇなので、合計荷重として、２６３．７−０＋６５＝３２８．７（ｋｇ）を得ることができる。これより、閾値と比較することで停止時間を決定し、例えば上述のように閾値が４００ｋｇであれば、合計荷重が閾値以下であるので、停止時間を標準の停止時間よりも長くなるように設定すればよい。
【００６６】
第２の具体例として、図７を参照して説明する。  
乗車荷重履歴取得部９０１は、割当ホール呼びとして、Ｍ−１階（下向き）、３階（下向き）、２階（下向き）および１階（上向き）を得る。かご呼び取得部２０６が、１階を示すかご呼びを取得する。割当ホール呼び取得部２０３が、割当ホール呼びとかご呼びとの中で、現在のかごの位置に最も近いホールとしてＭ−１階（Ｈｓｔａｒｔ＝Ｍ−１）、かご呼びの最も遠いホールとして１階（Ｈｅｎｄ＝１）をそれぞれ決定する。  
初期値として現在のホールｈ＝Ｈｓｔａｒｔ＝Ｍ−１、予測乗車荷重＝０と設定される。  
ｈ＝Ｍ−１が割当ホール呼びに含まれるので、乗車荷重履歴取得部９０１が、Ｍ−１階のホールに関する乗車荷重履歴情報から下向きの平均乗車荷重９０．２ｋｇを得る。よって、予測乗車荷重は０＋９０．２＝９０．２（ｋｇ）となる。
【００６７】
同様に、現在のホールｈが３階、２階の場合は、現在のホールｈがＨｅｎｄ＝１よりも遠くはなく、割当ホール呼びに含まれるので、乗車荷重履歴取得部９０１が、下向きの平均乗車荷重としてそれぞれ、７１．１ｋｇ、７０．１ｋｇを得る。よって、予測乗車荷重は９０．２＋７１．１＋７０．１＝２３１．４（ｋｇ）である。  
続いて、現在のホールｈを次に停止可能なホールである１階に変更する。現在のホールｈがＨｅｎｄ＝１よりも遠くはないが、下向きの乗車荷重履歴情報が存在しないので、平均乗車荷重は０ｋｇであり、予測乗車荷重２３１．４ｋｇのままである。
【００６８】
次に、現在のホールｈが１階の上向きに変更される。現在のホールｈがＨｅｎｄ＝１よりも遠くはなく、割当ホール呼びに含まれるので、乗車荷重履歴取得部９０１が、上向きの平均乗車荷重３２０．０ｋｇを得る。よって、予測荷重は、２３１．４＋３２０．０＝５５１．４（ｋｇ）である。続いて現在のホールｈが２階の上向きに変更されると、現在のホールｈがＨｅｎｄ＝１よりも遠くなるので、予測乗車荷重の算出が終了する。  
予測降車荷重は、図１２を参照してＭ−１階の下向きで７５．５ｋｇであり、現乗車荷重は１３０ｋｇであると仮定すると、合計荷重は５５１．４−７５．５＋１３０＝６０５．９（ｋｇ）と算出することができる。
【００６９】
以上に示した第３の実施形態によれば、予測乗車荷重が既にわかっているホール呼びだけではなく、これからホール呼びが発生しそうなホールからの情報も考慮することができるので、さらに正確な将来予測ができる。よって、割当ホール呼びから予測できる乗車荷重が少ない場合でも、未だ発生していないホールの中でホール呼び発生確率が高いホールがエレベータかごの進行方向に含まれていれば乗車荷重が増加する可能性が高いので、停止時間が標準の停止時間よりも長くならずに、無駄な停止時間を削減することができる。結果として、不必要な停止時間を削減することによりサービス性能を必要以上に低下させずにエレベータの運行ができる。
【００７０】
なお、上述の第１の実施形態から第３の実施形態に係る停止時間算出部２０８は、算出した停止時間を用いて扉の開閉を行なう場合と、標準の停止時間を用いて開閉を行なう場合とをシミュレーションを利用して比較することで停止時間を決定してもよい。具体的には、停止時間通知部２０９は、予想される待ち時間などサービス性能が著しく悪化する場合や、消費電力削減が期待できない場合に標準の停止時間を単体かご制御部１２１に通知し、サービス性能が低下せず、消費電力削減が期待できる場合は算出した停止時間を単体かご制御部１２１に通知すればよい。
【００７１】
また、上述した実施形態では、予測乗車荷重、予測降車荷重および現乗車荷重を用いて合計荷重を算出したが、予測乗車荷重および現乗車荷重との和のみを用いて合計荷重として、上述のように停止時間を算出してもよい。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１００，８００・・・エレベータ群管理制御システム、１０１，８０１・・・エレベータ制御装置、１０２・・・ホール呼び管理部、１０３・・・割当制御部、１０４・・・かご呼び管理部、１０５，８０２・・・扉制御部、１１０・・・ホール、１２０・・・エレベータ、１２１・・・単体かご制御部、１２２・・・乗車荷重管理部、１２３・・・エレベータかご、２０１・・・進行方向取得部、２０２・・・計算判定部、２０３，５０１，６０１，７０１・・・割当ホール呼び取得部、２０４，９０３・・・乗車荷重予測部、２０５・・・乗車荷重取得部、２０６・・・かご呼び取得部、２０７，９０４・・・降車荷重予測部、２０８・・・停止時間算出部、２０９・・・停止時間通知部、４０１・・・閾値、５０２，６０２，７０２・・・利用者、５０３，６０３，７０３・・・かご呼び、５０４，６０４，７０４・・・ホール呼び、８０３・・・乗車荷重履歴格納部、８０４・・・降車荷重履歴格納部、９０１・・・乗車荷重履歴取得部、９０２・・・降車荷重履歴取得部、１１０１・・・ホール番号、１１０２・・・向き、１１０３・・・発生時刻、１１０４・・・到着時刻、１１０５・・・乗車荷重、１１０６・・・平均乗車荷重、１１０７・・・発生間隔、１２０１・・・降車時刻、１２０２・・・降車荷重、１２０３・・・平均降車荷重。
【図１】
2014114129.tif 000005
【図２】
2014114129.tif 000006
【図３】
2014114129.tif 000007
【図４】
2014114129.tif 000008
【図５】
2014114129.tif 000009
【図６】
2014114129.tif 000010
【図７】
2014114129.tif 000011
【図８】
2014114129.tif 000012
【図９】
2014114129.tif 000013
【図１０】
2014114129.tif 000014
【図１１】
2014114129.tif 000015
【図１２】
2014114129.tif 000016
【図１３】
2014114129.tif 000017
【図１４】
2014114129.tif 000018